(57)【要約】【課題】一枚の連続な紙から構成され、上下左右にめくることが可能で、ハイパー・リンク的機能を備え、それでいて構造が単純で丈夫、高速生産に適し、広告・地図・ガイドブック・マニュアル等への応用が広い、コンパクトな小冊子を提供する。【解決手段】小冊子となる長方形用紙において、表をＡ面裏をＢ面とし、Ａ面について、長方形の二辺に沿って直交する行格子線ｍ０〜ｍ６及び列格子線ｎ０〜ｎ６で分割し、内ｍ０，ｍ６，ｎ０，ｎ６は長方形外縁であり、列格子線ｎ２，ｎ４のｍ１〜ｍ５間はミシン目とし、行格子線ｍ１，ｍ５を谷折り、ｍ２，ｍ４を山折りとし、ｍ１，ｍ５をＢ面ｍ３に合わせｍ３を挟んだ糊代で接合した平面構造を、Ａ面ｍ３側を基準としてｎ１，ｎ３，ｎ５対応部分を谷折り、ｎ２，ｎ４対応部分を山折りとして屏風状に折り畳まれた形状を特徴とする小冊子。【選択図】図８
2007190897.tif 000002
【特許請求の範囲】
【請求項１】
小冊子となる長方形用紙において、最初に位置・形状の定義をするに、紙面の表をＡ面、裏をＢ面とし、長方形の二辺に平行に、直交する行格子線ｍ（ｍ０，ｍ１，ｍ２，ｍ３，ｍ４，ｍ５，ｍ６）及び列格子線ｎ（ｎ０，ｎ１，ｎ２，ｎ３，ｎ４，ｎ５，ｎ６，……）、それらの交点（ｍ，ｎ）を定義し、行格子線の間隔ｍ１〜ｍ２，ｍ２〜ｍ３，は等しく、同様にｍ３〜ｍ４，ｍ４〜ｍ５，は等しいものとし、折り線はＡ面を基準として記述するとする、そして列格子線ｎ２の（ｍ１，ｎ２）と（ｍ５，ｎ２）の間及びｎ４の（ｍ１，ｎ４）と（ｍ５，ｎ４）の間はミシン目とし、ｎ６以降は同様の法則に準ずるとし、ｍ１，ｍ５は谷折り、ｍ２，ｍ４は山折りとし、ｍ１，ｍ５の折り目をＢ面ｍ３にｍ３を挟んだ糊代で接合され、ｍ３を中心とする平面構造を形成し、当該平面構造をＡ面ｍ３側を基準として、ｎ１，ｎ３，ｎ５対応部分が谷折り、ｎ２，ｎ４対応部分が山折りにより屏風状に折り畳まれた形状を特徴とする小冊子。
【請求項２】
小冊子となる長方形用紙において、最初に位置・形状の定義をするに、紙面の表をＡ面、裏をＢ面とし、長方形の二辺に平行に、直交する行格子線ｍ（ｍ０，ｍ１，ｍ２，ｍ３，ｍ４，ｍ５，ｍ６）及び列格子線ｎ（ｎ０，ｎ１，ｎ２，ｎ３，ｎ４，ｎ５，ｎ６，……）、それらの交点（ｍ，ｎ）を定義し、行格子線の間隔ｍ１〜ｍ２，ｍ２〜ｍ３，は等しく、同様にｍ３〜ｍ４，ｍ４〜ｍ５，は等しいものとし、折り線はＡ面を基準として記述するとする、そして列方向の加工としては列格子線ｎ２の（ｍ１，ｎ２）と（ｍ５，ｎ２）の間及びｎ４の（ｍ１，ｎ４）と（ｍ５，ｎ４）の間はミシン目の加工、ｎ６以降は同様の法則に準ずるとし、行方向の加工としては行格子線ｍ１，ｍ５は谷折り、ｍ２，ｍ４は山折り加工、ｍ１，ｍ５の折り目をＢ面ｍ３にｍ３を挟んだ糊代で接合加工、これらの加工によりｍ３を中心とする平面構造を形成し、当該平面構造をＡ面ｍ３側を基準として、ｎ１，ｎ３，ｎ５対応部分を谷折り、ｎ２，ｎ４対応部分が山折り加工により屏風状に折り畳むことを特徴とする小冊子の製造方法。
【発明の詳細な説明】
【技術分野】
【０００１】  本発明は、リーフレット、地図・ガイドブック、マニュアル、ちらし、ノート等のコンパクトな紙メディアを対象とするもので、一枚の連続した紙で構成され、上下左右にページをめくることにより多方向に途切れなく参照できる、量産が可能な、小冊子及びその製造方法に関するものである。
【背景技術】
【０００２】  従来、この種の小冊子については、例えば、本願発明者によって創出された特許文献１、２、および非特許文献１の折り畳み文書、製造方法、およびデザイン手法が既に提出されている。（前記折り畳み文書は、本明細書では小冊子と読み替える。また、紙メディアの紙は、いわゆる紙類で、合成紙、シートなど薄く延びの少ない平面状シートの総称とする。）
これは、小冊子となる適宜原図を、直交する行方向格子線と列方向格子線によって、偶数個の帯状の横方向領域となる行に分割すると共に、任意数の帯状の縦方向領域となる列に分割して、複数の区分最小ページを形成し、行方向格子線は、輪郭線となる最外側の行方向格子線を除き、上部より交互に谷折り・山折りとし、列方向格子線は、輪郭線となる最外側の列方向格子線、及び最外側行上の列方向格子線を除き、交互に可逆折り・スリットとし、最外側行上にある列方向格子線に於いて、可逆折りの延長上にある列方向格子線は谷折りとすると共に、スリットの延長上にある列方向格子線は山折りとし、複数の行方向谷折りを合わせるように綴じて形成したものである。
特に、その見開き状態にあっては、見開きは上下左右の４ページで構成されており（特許文献１の図１０）上下左右のアクセスは通常の本と同じ感覚で夫々の方向にページをめくればよいように構成されている。【０００３】
【特許文献１】特願２００４−１８８４２５
【特許文献２】実録第３１１４８２５号
【非特許文献１】Ｋｏｒｙｏ  Ｍｉｕｒａ，“Ｄｅｓｉｇｎ  ｏｆ  ｐｏｒｔａｂｌｅ  ｐａｐｅｒ  ｍａｐｓ  ｅｎａｂｌｉｎｇ  ｌｏｎｇｉｔｕｄｉｎａｌ  ａｃｃｅｓｓ”，ＸＸＩＩ  Ｉｎｔｅｒｎａｔｉｏｎａｌ  Ｃａｒｔｏｇｒａｐｈｉｃ  Ｃｏｎｇｒｅｓｓ，１１〜１６  Ｊｕｌｙ  ２００５，ＩＳＢＮ−０９５８−４６０９３−０
【発明の開示】
【発明が解決しようとする課題】
【０００４】  前記特許文献１には当該小冊子の構造および製造方法のコンセプトが包括的に示されている。また、製造方法を構成する各工程は、柔軟に変更可能で、多様な状況に対応できる。しかしその後の開発の過程で、自動機械による製造方法に適した構造と製造方法における新たな課題が認識された。すなわち、この種の小冊子は、通常短い時間で大量に製造するという高速生産のパターンの需要が多い。同時に、高速生産はコストを劇的に低下させる効果がある。従って、このコンセプトの真の実用化は、高速生産の技術にかかっていると認識されたのである。【０００５】  この小冊子の高速生産における最大の障害は、スリットの存在である（図１）。スリットは、この小冊子の構成に必要不可欠であるから、これを避けて通ることはできない。製造工程のある段階で、紙にスリットが加工されると、紙は直交二方向に連続体である性質を失う。つまり、スリットに直交する方向の抵抗を殆ど失い、僅かな外力によって皴・湾曲・重なり等が発生する可能性が大きい。これにより、以降の加工において、紙のハンドリングが極めて難しくなる。従って、この課題を解決する小冊子の構造とその製造方法が求められている。【０００６】  本発明は、上記の課題を解決する小冊子及びその製造方法を提供することにある。
【課題を解決するための手段】
【０００７】  本発明は、前述の如き課題を解決することで、高速生産に適用できる小冊子及びその製造方法を創出されたものである。【０００８】  そこで、請求項１記載の小冊子にあっては、小冊子となる長方形用紙において、最初に位置・形状の定義をするに、紙面の表をＡ面、裏をＢ面とし、長方形の二辺に平行に、直交する行格子線ｍ（ｍ０，ｍ１，ｍ２，ｍ３，ｍ４，ｍ５，ｍ６）及び列格子線ｎ（ｎ０，ｎ１，ｎ２，ｎ３，ｎ４，ｎ５，ｎ６，……）、それらの交点（ｍ，ｎ）を定義し、行格子線の間隔ｍ１〜ｍ２，ｍ２〜ｍ３，は等しく、同様にｍ３〜ｍ４，ｍ４〜ｍ５，は等しいものとし、折り線はＡ面を基準として記述するとする、そして列格子線ｎ２の（ｍ１，ｎ２）と（ｍ５，ｎ２）の間及びｎ４の（ｍ１，ｎ４）と（ｍ５，ｎ４）の間はミシン目とし、ｎ６以降は同様の法則に準ずるとし、ｍ１，ｍ５は谷折り、ｍ２，ｍ４は山折りとし、ｍ１，ｍ５の折り目をＢ面ｍ３にｍ３を挟んだ糊代で接合され、ｍ３を中心とする平面構造を形成し、当該平面構造をＡ面ｍ３側を基準として、ｎ１，ｎ３，ｎ５対応部分が谷折り、ｎ２，ｎ４対応部分が山折りにより屏風状に折り畳まれた形状を特徴とする小冊子を採用した。【０００９】  また請求項２記載の小冊子の製造方法にあっては、小冊子となる長方形用紙において、最初に位置・形状の定義をするに、紙面の表をＡ面、裏をＢ面とし、長方形の二辺に平行に、直交する行格子線ｍ（ｍ０，ｍ１，ｍ２，ｍ３，ｍ４，ｍ５，ｍ６）及び列格子線ｎ（ｎ０，ｎ１，ｎ２，ｎ３，ｎ４，ｎ５，ｎ６，……）、それらの交点（ｍ，ｎ）を定義し、行格子線の間隔ｍ１〜ｍ２，ｍ２〜ｍ３，は等しく、同様にｍ３〜ｍ４，ｍ４〜ｍ５，は等しいものとし、折り線はＡ面を基準として記述するとする、そして列方向の加工としては列格子線ｎ２の（ｍ１，ｎ２）と（ｍ５，ｎ２）の間及びｎ４の（ｍ１，ｎ４）と（ｍ５，ｎ４）の間はミシン目の加工、ｎ６以降は同様の法則に準ずるとし、行方向の加工としては行格子線ｍ１，ｍ５は谷折り、ｍ２，ｍ４は山折り加工、ｍ１，ｍ５の折り目をＢ面ｍ３にｍ３を挟んだ糊代で接合加工、これらの加工によりｍ３を中心とする平面構造を形成し、当該平面構造をＡ面ｍ３側を基準として、ｎ１，ｎ３，ｎ５対応部分を谷折り、ｎ２，ｎ４対応部分が山折り加工により屏風状に折り畳むことを特徴とする小冊子の製造方法を採用した。
【発明の効果】
【００１０】  請求項１記載の小冊子の構造では、従来のスリットの代わりにミシン目を採用した。最終の生産品は、使用状態の一歩手前であるが、使用者がミシン目を破ることで、容易にスリットに変換されるので、小冊子の機能は完全に果たされる。【００１１】  請求項２記載の小冊子の製造方法によれば、スリットの代わりにミシン目の採用で、ミシン目の加工後も紙は連続体としての強度・剛性の適切なレベルを保つことになった。従って、以後の自動機械での加工において、紙のハンドリングの問題を生じない。その結果、高速生産を目的とした自動機械の設計は、現在流通している技術をそのまま使用して構築できる。ミシン目の採用は、ごく単純な変更であるが、それは極めて大きな効果をもたらした。よって、この小冊子の高速生産の可能性が開けることになった。
【発明を実施するための最良の形態】
【００１２】  以下、本発明を図示例に基づいて説明する。
【実施例１】
【００１３】  以下、本発明の小冊子の第１実施例を図１から図１０により説明する。紙による小冊子の構成を、通常の図面で一挙に説明することの困難に鑑み、最初に使用状態での小冊子を提示し、次に原紙の状態から、加工の各工程にほぼ沿うかたちで説明を行う。これは、必ずしも工程の順序を示すものではない。
図１は、本発明の小冊子のミシン目を破って使用状態の見開きを示す斜視図である。その見開きは交差する折り目１６によって４ページを構成する。横方向の折り目１６は綴じ１９によって、綴じられており、これは上下方向のページのめくりを可能とする。左右方向のページのめくりは、縦方向の折り目１５、１６の繰り返しによる屏風折りで行われる。【００１４】  図２は、対象となる長方形の用紙（印刷内容は省略）を示す平面図で、表面をＡ面、裏面をＢ面とする。
Ａ面について、直交する行格子線ｍ（ｍ０，ｍ１，ｍ２，ｍ３，ｍ４，ｍ５，ｍ６）及び列格子線ｎ（ｎ０，ｎ１，ｎ２，ｎ３，ｎ４，ｎ５，ｎ６，……）、又それらの交点（ｍ，ｎ）を定義する（格子線は必要に応じ点線で示し、その引出線も必要に応じ示す）。これらの定義は、用紙を９０度回転しても同様である。列格子線の数は任意である。図示の例では、簡単のため行格子線・列格子線の間隔はそれぞれすべて等しく描かれている。必要な条件は、行格子線の間隔ｍ１〜ｍ２，ｍ２〜ｍ３，は等しく、同様にｍ３〜ｍ４，ｍ４〜ｍ５，は等しいことである。列格子線の間隔には、特に条件がないが、通常の冊子のページの幅に相当するもので、ここでは等しいとして説明する。なお、外縁における行、列間隔を変えて特別の効果をもたらす提案が前掲特許文献２に記載されている。【００１５】  図３は、ミシン目１７の加工位置を示す平面図である。それは列格子線ｎ２の（ｍ１，ｎ２）と（ｍ５，ｎ２）の間及びｎ４の（ｍ１，ｎ４）と（ｍ５，ｎ４）の間の二箇所である。
図４は折り加工を示すもので、図４−１は平面図、図４−２は右側面図である。折り目はＡ面を基準として定義するとして、ｍ１，ｍ５は谷折り１６、ｍ２，ｍ４は山折り１５に加工したものを示す。平面図ではＢ面側が見えている。なお、図４、５、６、７の側面図は、理解のために折り角度が誇張されており、対応する平面図の位置とずれる場合がある。
図５は、糊１８の塗布位置を示すもので、図５−１は平面図、図５−２は右側面図である。この場合、図示のようにＢ面上ｍ３を挟んだ位置が糊を塗布する場所である。もちろんその接合すべき対面に塗布することをさまたげない。【００１６】  図６は、図５の状態から対面が接合された状態を示すもので、図６−１は平面図、図６−２は右側面図である。これは、Ｂ面においてｍ１，ｍ５の折り目１５をｍ３に合わせて接合加工して形成されたｍ３を中心とする平面構造を示す。なお、このｍ３は図１において上下方向のページの綴じ１９になる。また袋の状態になった部分の内面はＢ面の部分であることに注目しよう。また、接合加工と共にあるいは前後して、ｍ３に谷折り１６又はエンボスの加工をすることが望ましい。これは、上下ページのめくり易さに効果がある。
図７は、図６の平面構造を裏返しして、Ａ面ｍ３側が表にあるようにしたもので、図７−１は平面図、図７−２は右側面図である。これにはＡ面ｍ３側を基準として、次の折り加工の位置を示している。ｎ１，ｎ３，ｎ５対応部分を谷折り、ｎ２，ｎ４対応部分を山折りに、屏風状に折り加工する。なお、ｎ２，ｎ４の袋となった部分は前記ミシン目１７が施工済みであることに注目しよう。【００１７】  図８は、図７で規定された加工によって完成された本発明の小冊子を、部分的に開いてその構成を示す斜視図である。ここで、ミシン目の線１７は、表現のため平面図における線種と異なる線が使われていることに注意しよう。
図９は、図８に示された本発明の小冊子を、そのミシン目１７を破ってスリット２０に変換し使用可能の状態にしたものの斜視図である。最後に再び図１に戻れば、本発明の小冊子の構造を、使用状態で理解することができる。すなわち、前記特許文献１記載の「折り畳み文書」と全く同一の小冊子が、加工工程でスリットなしに製造された結果である。
図１０は紙の製品を図面で表示するために用いた線種を示す。【００１８】  なお、小冊子（使用状態）の中に、もはやスリットが事実上存在しないことを説明しよう。第一に、図９に見るように、スリット２０の末端のクラック形状はすべて綴じ１９によって完全に固定されていることがわかる。しかもこの小冊子の特殊な構造により、スリットに相当する部分はもはや内部の構造ではなく、ページの外縁になっており、結局スリットは事実上消滅している。従って、この点に関する強度的な問題は解決している。【００１９】  なお、本発明の小冊子の具体的構成は、図示のもの等に限定されることなく、適宜自由に設定、変更できるものである。例えば、表紙の装着、袋状態のページの貼り合わせ、裏面を接合した完全な冊子本、上下左右のページの表示の方策、ページ数の増加等があげられる。
また、本発明の小冊子の製造方法は、図示のもの等に限定されることなく、適宜自由に設定、変更できるものである。例えば、その工程の順序、組み合わせは、状況に応じて適したように設定できる。
【図面の簡単な説明】
【００２０】
【図１】本発明の小冊子のミシン目を破って使用状態の見開きを示す斜視図である。
【図２】対象となる長方形の用紙の表面（Ａ面）を示す平面図である。
【図３】ミシン目の加工位置を示す平面図である。
【図４】折り加工の位置を示す、図４−１は平面図、図４−２は右側面図である。
【図５】糊の塗布位置を示す、図５−１は平面図、図５−２は右側面図である。
【図６】図５の状態から接合された状態を示す図６−１は平面図、図５−２は右側面図である。
【図７】図６の構造を裏返した、図７−１は平面図、図７−２は右側面図である。
【図８】図７までの加工により製造された本発明の小冊子の構成を示す斜視図である。
【図９】図８に示された本発明の小冊子を、そのミシン目を破って使用可能の状態にしたものの斜視図である。
【図１０】紙の加工を表示するために用いた線種を示す。
【符号の説明】
【００２１】Ａ          用紙表面
Ｂ          用紙裏面
ｍ（ｍ１，ｍ２，ｍ３，ｍ４，ｍ５，ｍ６）          行方向格子線
ｎ（ｎ１，ｎ２，ｎ３，ｎ４，ｎ５，ｎ６，・・・）  列方向格子線
（ｍ，ｎ）  格子線交点
１５        山折り（Ａ面を基準）
１６        谷折り（Ａ面を基準）
１７        ミシン目（平面図と斜視図で線種が異なる）
１８        糊
１９        綴じ
２０        スリット
【図１】
2007190897.tif 000003
【図２】
2007190897.tif 000004
【図３】
2007190897.tif 000005
【図４】
2007190897.tif 000006
【図５】
2007190897.tif 000007
【図６】
2007190897.tif 000008
【図７】
2007190897.tif 000009
【図８】
2007190897.tif 000010
【図９】
2007190897.tif 000011
【図１０】
2007190897.tif 000012